(57)【要約】【課題】冷蔵庫の表示装置において、節電設定と脱臭設定を同時に行った場合の発光素子の制御方法で使用者の認識を高め、かつ表示に関わる消費電力量を低減させる。【解決手段】３６発光素子点滅手段３により、節電設定中に特殊機能設定にすると発光素子２０を任意の間隔で点滅させ、発光素子２０が点灯する周期でさらに可視で点灯が確認できる高速時間で点滅させる構成にしたので、設定された脱臭設定が通常状態とは異なった脱臭設定の運転状態であることを報知できるとともに、消費電力量を低減することができる。【選択図】図５
2005090911.tif 000002
【特許請求の範囲】
【請求項１】
冷蔵庫内を冷却する冷却ユニットと、前記冷却ユニットを運転制御するコントローラと、前記コントローラに接続された、前記冷却ユニットの運転状態を通常運転設定と節電運転設定に切り替える節電スイッチと、前記冷却ユニットを通常運転設定と連続運転設定に切り替える急凍スイッチと、前記冷却ユニットを通常運転設定と送風機を連続運転設定に切り替える脱臭スイッチと、前記脱臭スイッチにより前記冷却ユニットの送風機を連続運転設定にされたとき点灯する一つまたは複数の発光ダイオードなどの発光素子を有する表示装置を具備した冷蔵庫において、前記コントローラからの命令または前記脱臭スイッチにより前記冷却ユニットの送風機を連続運転設定にされているときに前記コントローラからの命令または前記節電スイッチにより節電運転設定にしたとき、前記発光素子を点滅するように制御することを特徴とする冷蔵庫。
【請求項２】
前記コントローラからの命令または前記脱臭スイッチにより前記冷却ユニットの送風機を連続運転設定にされているときに前記コントローラからの命令または前記節電スイッチにより節電運転設定にしたとき、前記発光素子の消灯期間と点灯期間の点滅周期を任意の間隔で変化させるように制御することを特徴とする請求項１に記載の冷蔵庫。
【請求項３】
前記コントローラからの命令または前記脱臭スイッチにより前記冷却ユニットの送風機を連続運転設定にされているときに前記コントローラからの命令または前記節電スイッチにより節電運転設定にしたとき、点滅周期における点灯期間内にさらに可視で点灯が確認できる高速周期で点滅させるように制御することを特徴する請求項２に記載の冷蔵庫。
【請求項４】
前記コントローラからの命令または前記脱臭スイッチにより前記冷却ユニットの送風機を連続運転設定にされているときに前記コントローラからの命令または前記節電スイッチにより節電運転設定にしているときに、前記コントローラからの命令または前記急凍スイッチにより前記冷却ユニットを連続運転設定にしたとき、前記発光素子の消灯期間と点灯期間の点滅周期を等間隔以外の任意の間隔で変化させるように制御することを特徴とする請求項１に記載の冷蔵庫。
【請求項５】
前記コントローラからの命令または前記脱臭スイッチにより前記冷却ユニットの送風機を連続運転設定にされているときに前記コントローラからの命令または前記節電スイッチにより節電運転設定にしているときに、前記コントローラからの命令または前記急凍スイッチにより前記冷却ユニットを連続運転設定にしたとき、点滅周期における点灯期間内にさらに可視で点灯が確認できる高速周期で点滅させるように制御をすることを特徴とする請求項４に記載の冷蔵庫。
【発明の詳細な説明】
【技術分野】
【０００１】
本発明は表示装置を有する冷蔵庫に関するものである。
【背景技術】
【０００２】
近年、冷蔵庫に表示装置を備えたものがある。（例えば、特許文献１参照）
図１１は、従来の表示装置付き冷蔵庫を示すものである。図１１に示すように、１は冷蔵庫本体で外箱２、内箱３、及び前記外箱２と前記内箱３間に充填された断熱材４より構成されている。５は区画壁で、前記冷蔵庫本体１の内部を上下に区画し、最下部に冷凍室６、最上部に冷蔵室７を区画形成している。８は冷蔵室７内の冷気を循環させる送風機である。９は冷却器で、前記冷凍室６の背面に備え、冷凍サイクルの一部を形成している。１０は前記冷凍室６内に設置された庫内温度検出用サーミスタ１１より庫内温度を検出する庫内温度検出手段であり、１２は前記庫内温度検出手段１０の検出した温度が設定温度以上であるかどうかを判定する庫内温度判定手段である。１３は冷凍サイクルの圧縮機１４を動作させる圧縮機駆動手段である。１５は前記庫内温度検出手段１０や庫内温度判定手段１２や圧縮機駆動手段１３から冷凍サイクルを制御するコントローラである。１６は利用者が意図する運転状態を前記コントローラ１５へ送信し、また前記コントローラ１５の現在の運転状態を受信し表示素子または発光素子に表示する表示装置である。
【０００３】
また、図１２は、従来の表示装置付き冷蔵庫の表示装置ブロック図である。図１２に示すように、１７は冷蔵庫の通常運転設定と節電運転設定を切り替える節電スイッチである。１８は冷蔵庫の通常運転設定と圧縮機１５を連続運転させる急凍運転設定を切り替える急凍スイッチである。１９は液晶素子などを用いた表示素子である。２０は発光ダイオードなどをもちいた発光素子である。２１は冷蔵庫の通常運転設定と送風機８を連続運転させる脱臭運転設定を切り替えると同時に、発光素子２０を点灯する機能を有する脱臭スイッチである。２２は前記コントローラ１５からの命令信号を受信する信号受信手段である。２３は前記コントローラ１５からの信号受信手段２２または節電スイッチ１７からの入力を検出する節電設定検出手段である。２４は節電設定検出手段２３による入力の有無を判定する節電設定判定手段である。２５は節電設定判定手段２４によって決定される表示内容を表示素子１９に表示する節電設定表示手段である。２６はコントローラ１５からの信号受信手段２２または脱臭スイッチ２１からの入力を検出する脱臭設定検出手段である。２７は脱臭設定検出手段２６による入力の有無を判定する脱臭設定判定手段である。２８は脱臭設定判定手段２７によって決定される内容を発光素子２０に点灯させる発光素子点灯手段である。２９は前記コントローラ１５からの信号受信手段２２または急凍スイッチ１８からの入力を検出する急凍設定検出手段である。３０は急凍設定検出手段２９による入力の有無を判定する急凍設定判定手段である。３１は急凍設定判定手段３０によって決定される表示内容を表示素子１９に表示する急凍設定表示手段である。３２はコントローラ１５への信号送信手段である。
【０００４】
以上のように構成された表示装置付き冷蔵庫の、まず圧縮機１４の動作について、図１３のフローチャートを参照しながら以下その動作を説明する。
【０００５】
最初にステップ１で庫内温度検出手段１０が冷凍室内６に設置された庫内温度検出用サーミスタ１０より庫内温度を検出する。次に、ステップ２で庫内温度判定手段１２は庫内温度検出手段１０が検出した温度が設定温度より高いか低いかを判断し、高ければステップ３で圧縮機駆動手段１３が圧縮機１４を動作させステップ１に戻る。しかし、ステップ２で庫内温度が低いと判断すればステップ４に進み圧縮機駆動手段１３で圧縮機１４を停止させステップ１に戻る。このサイクルを繰り返し、庫内冷却を行っている。
【０００６】
次に表示装置について、図１４のフローチャートを参照しながら以下その動作を説明する。
【０００７】
最初に、ステップ１０１で節電設定検出手段２３により節電スイッチ１７の入力検出を行いステップ１０２へ進む。ステップ１０２でステップ１０１での節電スイッチ１７の入力の有無を判定し、節電スイッチ１７の入力検出が無ければステップ１１１へ進み、節電スイッチ１７の入力検出が有ればステップ１０３へ進む。ステップ１０３でコントローラ１５からの節電設定信号を検出しステップ１０４へ進む。ステップ１０４でステップ１０３での節電設定信号検出をもとに節電設定判定手段２４により節電設定中か節電設定中でないか判断し、節電設定中であればステップ１０８へ進み、節電設定中でなければステップ１０５へ進む。ステップ１０５で節電解除から節電設定中へ切り替え、ステップ１０６へ進む。ステップ１０６で節電設定に切り替わったことを信号としてコントローラへの信号送信手段３２によりコントローラ１５へ送信しステップ１０７へ進む。ステップ１０７で節電設定に切り替わったことを節電設定表示手段２５により表示素子１９へ表示させステップ１０１へ戻る。ステップ１０８で節電設定中から節電設定解除へ切り替え、ステップ１０９へ進む。ステップ１０９で節電設定解除に切り替わったことを信号としてコントローラへの信号送信手段３２によりコントローラ１５へ送信しステップ１１０へ進む。ステップ１１０で節電設定解除に切り替わったことを節電設定表示手段２５により表示素子１９へ表示させステップ１０１へ戻る。ステップ１１１で脱臭設定検出手段２６により脱臭スイッチ２１の入力検出を行いステップ１１２へ進む。ステップ１１２でステップ１１１での脱臭スイッチ２１の入力の有無を判定し、脱臭スイッチ２１の入力検出が無ければステップ１２１へ進み、脱臭スイッチ２１の入力検出が有ればステップ１１３へ進む。ステップ１１３でコントローラ１５からの脱臭設定信号を検出しステップ１１４へ進む。ステップ１１４でステップ１１３での脱臭設定信号検出をもとに脱臭設定判定手段２７により脱臭設定中か脱臭設定中でないか判断し、脱臭設定中であればステップ１１８へ進み、脱臭設定中でなければステップ１１５へ進む。ステップ１１５で脱臭解除から脱臭設定中へ切り替え、ステップ１１６へ進む。ステップ１１６で脱臭設定に切り替わったことを信号としてコントローラへの信号送信手段３２によりコントローラ１５へ送信しステップ１１７へ進む。ステップ１１７で発光素子点灯手段２８により発光素子２０を点灯させステップ１０１へ戻る。ステップ１１８で脱臭設定中から脱臭設定解除へ切り替え、ステップ１１９へ進む。ステップ１１９で脱臭設定解除に切り替わったことを信号としてコントローラへの信号送信手段３２によりコントローラ１５へ送信しステップ１２０へ進む。ステップ１２０で脱臭設定解除に切り替わったことを発光素子点灯手段２８により発光素子２０を消灯させステップ１０１へ戻る。ステップ１２１で急凍設定検出手段２９により急凍スイッチ１８の入力検出を行いステップ１２２へ進む。ステップ１２２でステップ１２１での急凍スイッチ１８の入力の有無を判定し、急凍スイッチ１８の入力検出が無ければステップ１０１へ戻り、急凍スイッチ１８の入力検出が有ればステップ１２３へ進む。ステップ１２３でコントローラ１５からの急凍設定信号を検出しステップ１２４へ進む。ステップ１２４でステップ１２３での急凍設定信号検出をもとに急凍設定判定手段３０より急凍設定中か急凍設定中でないか判断し、急凍設定中であればステップ１２８へ進み、急凍設定中でなければステップ１２５へ進む。ステップ１２５で急凍解除から急凍設定中へ切り替え、ステップ１２６へ進む。ステップ１２６で急凍設定に切り替わったことを信号としてコントローラへの信号送信手段３２によりコントローラ１５へ送信しステップ１２７へ進む。ステップ１２７で急凍設定に切り替わったことを急凍設定表示手段３１により表示素子１９へ表示させステップ１０１へ戻る。ステップ１２８で急凍設定中から急凍設定解除へ切り替え、ステップ１２９へ進む。ステップ１２９で急凍設定解除に切り替わったことを信号としてコントローラへの信号送信手段３２によりコントローラ１５へ送信しステップ１３０へ進む。ステップ１３０で急凍設定解除に切り替わったことを急凍設定表示手段３１により表示素子１９へ表示させステップ１０１へ戻る。
【特許文献１】実公平７−８７１号公報
【発明の開示】
【発明が解決しようとする課題】
【０００８】
しかしながら、上記従来の構成では、冷蔵庫の表示装置において脱臭設定するときは表示装置に設置されている発光素子を点灯させる構成になっており、また節電設定と脱臭設定を同時に行うと、節電設定した時に送風機の回転数低下あるいは連続運転の部分的な中断などの制御を行うように設定していた場合、発光素子の点灯だけでは通常運転状態で脱臭設定をする場合と同じ仕様になっていないことが利用者に伝わらず、故障、または能力不足の誤解を招くという課題を有していた。また節電設定中にもかかわらず発光素子を連続して点灯し続けることは消費電力を増加する原因の一つとなるという課題を有していた。また節電設定と脱臭設定を同時に行うとき、急凍設定をさらに併用して設定するときも通常状態で急凍を設定する場合と同じ仕様にはなっていないことが利用者に伝わらず、故障、または能力不足の誤解を招くという課題を有していた。
【０００９】
本発明は上記従来の課題を解決するもので、節電設定と脱臭設定を同時に行うと発光素子を点灯から点滅に切り替えることができ、また発光素子の点滅の点灯と消灯の周期を変化させ、さらに点灯区間内で高速で発光素子を点灯と消灯をさせることにより消費電力量を低減させることができる。また節電設定と脱臭設定さらに急凍設定を併用して設定したときは更に異なった点滅周期で発光素子を点滅させることで利用者へ設定された急凍が通常状態とは異なった運転状態であることを報知できる冷蔵庫の表示装置を提供するものである。
【課題を解決するための手段】
【００１０】
上記従来の課題を解決するために、本発明の冷蔵庫は、冷蔵庫内を冷却する冷却ユニットと、前記冷却ユニットを運転制御するコントローラと、前記コントローラに接続された、前記コントローラの運転状態を通常運転設定と節電運転設定に切り替える節電スイッチと、その他運転状態を選択または決定する複数のスイッチと、前記冷却ユニットの運連状態で冷蔵庫内の送風機を連続運転させるなどの特殊な運転状態を表示する一つまたは複数の発光ダイオード等の発光素子を有する表示装置を具備した冷蔵庫において、前記コントローラからの命令または前記脱臭スイッチにより前記冷却ユニットの送風機を連続運転設定にされているときに前記コントローラからの命令または前記節電スイッチにより節電運転設定にしたとき、前記発光素子を点滅するように制御するものであり、節電設定と脱臭設定を同時に行うと発光素子を点灯から点滅に切り替えることができる。
【００１１】
また、本発明の冷蔵庫は、コントローラからの命令または前記急凍スイッチにより前記冷却ユニットを連続運転設定にしたとき、前記発光素子の消灯期間と点灯期間の点滅周期を等間隔以外の任意の間隔で変化させるように制御するものであり、利用者へ設定された急凍設定が通常状態とは異なった急凍運転状態であることを報知できる。
【発明の効果】
【００１２】
本発明の冷蔵庫は、節電設定と脱臭設定を同時に行うと発光素子を点灯から点滅に切り替えることができるので、利用者へ設定された脱臭設定が通常状態とは異なった脱臭設定の運転状態であることを報知できる。
【００１３】
また、本発明の冷蔵庫は、発光素子の点滅の点灯と消灯の周期を変化させ、さらに点灯区間内で高速で発光素子を点灯と消灯をさせることにより消費電力量を低減させることができる。
【００１４】
また、本発明の冷蔵庫は、節電設定と脱臭設定さらに急凍を併用して設定したときは異なった点滅周期で発光素子を点滅させることで利用者へ設定された急凍設定が通常状態とは異なった急凍運転状態であることを報知でき、さらに消費電力量を低減させることができる。
【発明を実施するための最良の形態】
【００１５】
請求項１に記載の発明は、冷蔵庫内を冷却する冷却ユニットと、前記冷却ユニットを運転制御するコントローラと、前記コントローラに接続された、前記冷却ユニットを運転状態を通常運転設定と節電運転設定に切り替える節電スイッチと、前記冷却ユニットを通常運転設定と連続で運転設定に切り替える急凍スイッチと、前記冷却ユニットを通常運転設定と送風機を連続運転設定に切り替える脱臭スイッチと、前記脱臭スイッチにより前記冷却ユニットの送風機を連続運転設定にされたとき点灯する一つまたは複数の発光ダイオードなどの発光素子を有する表示装置を具備した冷蔵庫において、前記コントローラからの命令または前記脱臭スイッチにより前記冷却ユニットの送風機を連続運転設定にされているときに前記コントローラからの命令または前記節電スイッチにより節電運転設定にしたとき、発光素子を点滅するように制御することができるので、利用者へ設定された脱臭設定が通常状態とは異なった脱臭設定運転状態であることを報知できる。
【００１６】
請求項２に記載の発明は、請求項１に記載の発明おいて、前記コントローラからの命令または前記脱臭スイッチにより前記冷却ユニットの送風機を連続運転設定にされているときに前記コントローラからの命令または前記節電スイッチにより節電運転設定にしたとき、前記発光素子の消灯期間と点灯期間の点滅周期を任意の間隔で変化させるように制御したものであり、消費電力量を低減させることができる。
【００１７】
請求項３に記載の発明は、請求項２に記載の発明において、前記コントローラからの命令または前記脱臭スイッチにより前記冷却ユニットの送風機を連続運転設定にされているときに前記コントローラからの命令または前記節電スイッチにより節電運転設定にしたとき、点滅周期における点灯期間内にさらに可視で点灯が確認できる高速周期で点滅させるように制御するものであり、消費電力量をさらに低減させることができる。
【００１８】
請求項４に記載の発明は、請求項１に記載の発明において、前記脱臭スイッチにより前記冷却ユニットの送風機を連続運転設定にされているときに前記コントローラからの命令または前記節電スイッチにより節電運転設定にしているときに、前記コントローラからの命令または前記急凍スイッチにより前記冷却ユニットを連続運転設定にしたとき、前記発光素子の消灯期間と点灯期間の点滅周期を等間隔以外の任意の間隔で変化させるように制御するものであり、利用者へ設定された急凍が通常状態とは異なった運転状態であることを報知できる。
【００１９】
請求項５に記載の発明は、請求項４に記載の発明において、前記コントローラからの命令または前記脱臭スイッチにより前記冷却ユニットの送風機を連続運転設定にされているときに前記コントローラからの命令または前記節電スイッチにより節電運転設定にしているときに、前記コントローラからの命令または前記急凍スイッチにより前記冷却ユニットを連続運転設定にしたとき、点滅周期における点灯期間内にさらに可視で点灯が確認できる高速周期で点滅させるように制御するものであり、利用者へ設定された急凍が通常状態とは異なった運転状態であることを報知でき、さらに消費電力量を低減させることができる。
【００２０】
以下、本発明の実施の形態について、図面を参照しながら、図面を参照しながら説明する。なお、この実施の形態によってこの発明が限定されものではない。
【００２１】
（実施の形態１）
図１は、本発明の実施の形態１における冷蔵庫の表示装置のブロック図である。図２は、同実施の形態を示すフローチャートである。
【００２２】
図１において、１７は冷蔵庫の通常運転設定と節電運転設定を切り替える節電スイッチである。１８は冷蔵庫の通常運転設定と圧縮機１５を連続運転させる急凍運転設定を切り替える急凍スイッチである。１９は液晶素子などを用いた表示素子である。２０は発光ダイオードなどをもちいた発光素子である。２１は冷蔵庫の通常運転設定と送風機８を連続運転させる脱臭運転設定を切り替えると同時に、発光素子２０を点灯する機能を有する脱臭スイッチである。２２は前記コントローラ１５からの命令信号を受信する信号受信手段である。２３は前記コントローラ１５からの信号受信手段２２または節電スイッチ１７からの入力を検出する節電設定検出手段である。２４は節電設定検出手段２３による入力の有無を判定する節電設定判定手段である。２５は節電設定判定手段２４によって決定される表示内容を表示素子１９に表示する節電設定表示手段である。２６はコントローラ１５からの信号受信手段２２または脱臭スイッチ２１からの入力を検出する脱臭設定検出手段である。２７は脱臭設定検出手段２６による入力の有無を判定する脱臭設定判定手段である。２８は脱臭設定判定手段２７によって決定される内容を発光素子２０に点灯させる発光素子点灯手段である。２９は前記コントローラ１５からの信号受信手段２２または急凍スイッチ１８からの入力を検出する急凍設定検出手段である。３０は急凍設定検出手段２９による入力の有無を判定する急凍設定判定手段である。３１は急凍設定判定手段３０によって決定される表示内容を表示素子１９に表示する急凍設定表示手段である。３２はコントローラ１５への信号送信手段である。３３は節電設定判定手段２４または脱臭設定判定手段２７によって判定された内容により発光素子２０を点灯させるまたは点滅させる判定を行なう発光素子点滅判定手段１である。２８は３３発光素子点滅判定手段１によって決定される内容を発光素子２０に点灯させる発光素子点灯手段である。３４は３３発光素子点滅判定手段１によって決定される内容を発光素子２０に等間隔で点滅させる発光素子点滅手段１である。
【００２３】
以上のように構成された表示装置付き冷蔵庫について、以下その動作を図２のフローチャートをもとにして説明する。
【００２４】
まず、ステップ１からステップ４とステップ１０１からステップ１１５まで従来通りである。ステップ１１６で脱臭設定に切り替わったことを信号としてコントローラへの信号送信手段３２によりコントローラ１５へ送信しステップ２０１へ進む。ステップ２０１でコントローラ１５からの節電設定信号を検出しステップ２０２へ進む。ステップ２０２でステップ２０１での節電設定信号検出をもとに発光素子点滅判定手段３３により節電設定中か節電設定中でないか判断し、節電設定中であればステップ２０３へ進み、節電設定中でなければステップ１１７へ進む。ステップ２０３で３４発光素子点滅手段１により発光素子２０を等間隔で点滅させステップ１０１へ戻る。以下従来通りである。
【００２５】
以上のように本実施の形態の表示装置つき冷蔵庫は、３３発光素子点滅判定手段１と３４発光素子点滅手段１により、節電設定中に脱臭設定にすると発光素子２０を等間隔で点滅させる構成にしたので、利用者へ設定された急凍が通常状態とは異なった運転状態であることを報知できる。
【００２６】
（実施の形態２）
図３は、本発明の実施の形態２における冷蔵庫の表示装置のブロック図である。図４は、同実施の形態を示すフローチャートである。
【００２７】
図３において、３５は３３発光素子点滅判定手段１によって決定される内容を発光素子２０に任意の間隔で点滅させる発光素子点滅手段２である。
【００２８】
本実施の形態は実施の形態１による表示装置付き冷蔵庫に３５発光素子点滅手段２を設けたものである。
【００２９】
以上のように構成された表示装置付き冷蔵庫について、以下その動作を図４のフローチャートをもとに説明する。
【００３０】
まず、ステップ１からステップ４とステップ１０１からステップ２０１まで実施の形態１通りである。
【００３１】
ステップ２０２でステップ２０１での節電設定信号検出をもとに３３発光素子点滅判定手段１により節電設定中か節電設定中でないか判断し、節電設定中であればステップ３０１へ進み、節電設定中でなければステップ１１７へ進む。ステップ３０１で３５発光素子点滅手段２により発光素子２０の点灯時間が経過していればステップ３０３へ進み、点灯時間が経過していなければステップ３０２へ進む。ステップ３０２で発光素子２０を点灯させステップ１０１へ戻る。ステップ３０３で３５発光素子点滅手段２により発光素子２０の消灯時間が経過していればステップ３０５へ進み、消灯時間が経過していなければステップ３０４へ進む。ステップ３０４で発光素子２０を消灯させステップ１０１へ戻る。ステップ３０５で３５発光素子点滅手段２により計測していた発光素子２０の点灯時間および消灯時間をリセットしステップ１０１へ戻る。以下実施の形態１通りである。
【００３２】
以上のように本実施の形態の表示装置つき冷蔵庫は、３５発光素子点滅手段２により、節電設定中に脱臭設定にすると発光素子２０を任意の間隔で点滅させる構成にしたので、消費電力量を低減させることができる。
【００３３】
（実施の形態３）
図５は、本発明の実施の形態３における冷蔵庫の表示装置のブロック図である。図６は、同実施の形態を示すフローチャートである。
【００３４】
図５において、３６は３３発光素子点滅判定手段１によって決定される内容を発光素子２０に点滅の点灯周期の間さらに高速で点滅させる発光素子点滅手段３である。
【００３５】
本実施の形態は実施の形態２による表示装置付き冷蔵庫に３６発光素子点滅手段３を設けたものである。
【００３６】
以上のように構成された表示装置付き冷蔵庫について、以下その動作を図６のフローチャートをもとに説明する。
【００３７】
まず、ステップ１からステップ４とステップ１０１からステップ２０２まで実施の形態２通りである。ステップ３０１で３６発光素子点滅手段３により発光素子２０の点灯時間が経過していればステップ３０３へ進み、点灯時間が経過していなければステップ４０１へ進む。ステップ４０１で発光素子２０を可視で点灯が確認できる高速時間で点滅させた時の点灯時間が経過していなければステップ３０２へ進み、点灯時間が経過していればステップ４０２へ進む。ステップ４０２で発光素子２０を可視で点灯が確認できる高速時間で点滅させた時の消灯時間が経過していなければステップ４０３へ進み、消灯時間が経過していればステップ４０４へ進む。ステップ４０３で発光素子２０を消灯させステップ１０１へ戻る。ステップ４０４で３６発光素子点滅手段３により計測していた発光素子２０の可視で点灯が確認できる高速時間で点滅させた時の点灯時間および消灯時間をリセットしステップ１０１へ戻る。以下実施の形態２通りである。
【００３８】
以上のように本実施の形態の表示装置つき冷蔵庫は、３６発光素子点滅手段３により、節電設定中に脱臭設定にすると発光素子２０を任意の間隔で点滅させ、発光素子２０が点灯する周期でさらに可視で点灯が確認できる高速時間で点滅させる構成にしたので、消費電力量を低減させることができる。
【００３９】
（実施の形態４）
図７は、本発明の実施の形態４における冷蔵庫の表示装置のブロック図である。図８は、同実施の形態を示すフローチャートである。
【００４０】
図７において、３７は節電設定判定手段２４または脱臭設定判定手段２７または急凍設定判定手段３０によって判定された内容により発光素子２０を点灯させるまたは点滅させる判定を行なう発光素子点滅判定手段２である。３８は３７発光素子点滅判定手段２によって決定される内容を発光素子２０に任意の間隔で点滅させる発光素子点滅手段４である。
【００４１】
本実施の形態は実施の形態１による表示装置付き冷蔵庫に３７発光素子点滅判定手段２および３８発光素子点滅手段４を設けたものである。
【００４２】
以上のように構成された表示装置付き冷蔵庫について、以下その動作を図８のフローチャートをもとに説明する。
【００４３】
まず、ステップ１からステップ４とステップ１０１からステップ２０１まで実施の形態１通りである。ステップ２０２でステップ２０１での節電設定信号検出をもとに３７発光素子点滅判定手段２により節電設定中か節電設定中でないか判断し、節電設定中であればステップ５０１へ進み、節電設定中でなければステップ１１７へ進む。ステップ５０１でコントローラ１５からの急凍設定信号を検出しステップ５０２へ進む。ステップ５０２でステップ５０１での急凍設定信号検出をもとに急凍設定判定手段３０より急凍設定中か急凍設定中でないか判断し、急凍設定中であればステップ５０３へ進み、急凍設定中でなければステップ２０３へ進む。ステップ５０３で３５発光素子点滅手段２により発光素子２０の点灯時間が経過していればステップ５０５へ進み、点灯時間が経過していなければステップ５０４へ進む。ステップ５０４で発光素子２０を点灯させステップ１０１へ戻る。ステップ５０５で３８発光素子点滅手段４により発光素子２０の消灯時間が経過していればステップ５０７へ進み、消灯時間が経過していなければステップ５０６へ進む。ステップ５０６で発光素子２０を消灯させステップ１０１へ戻る。ステップ５０７で３８発光素子点滅手段４により計測していた発光素子２０の点灯時間および消灯時間をリセットしステップ１０１へ戻る。以下実施の形態１通りである。
【００４４】
以上のように本実施の形態の表示装置つき冷蔵庫は、発光素子点滅判定手段２および３８発光素子点滅手段４により、節電設定中に脱臭設定にすると発光素子２０を等間隔で点滅させ、節電設定中にその他の急凍設定にすると任意の間隔で点滅する構成にしたので、利用者へ設定された急凍が通常状態とは異なった脱臭設定あるいはその他の急凍設定の運転状態であることを報知できる。
【００４５】
（実施の形態５）
図９は、本発明の実施の形態５における冷蔵庫の表示装置のブロック図である。図１０は、同実施の形態を示すフローチャートである。
【００４６】
図９において、３９は３３発光素子点滅判定手段１によって決定される内容を発光素子２０に点滅の点灯周期の間さらに高速で点滅させる発光素子点滅手段５である。
【００４７】
本実施の形態は実施の形態４による表示装置付き冷蔵庫に３９発光素子点滅手段５を設けたものである。
【００４８】
以上のように構成された表示装置付き冷蔵庫について、以下その動作を図１０のフローチャートをもとに説明する。
【００４９】
まず、ステップ１からステップ４とステップ１０１からステップ５０２まで実施の形態４通りである。ステップ５０３で３９発光素子点滅手段５により発光素子２０の点灯時間が経過していればステップ５０５へ進み、点灯時間が経過していなければステップ６０１へ進む。ステップ６０１で発光素子２０を可視で点灯が確認できる高速時間で点滅させた時の点灯時間が経過していなければステップ５０４へ進み、点灯時間が経過していればステップ６０２へ進む。ステップ６０２で発光素子２０を可視で点灯が確認できる高速時間で点滅させた時の消灯時間が経過していなければステップ６０３へ進み、消灯時間が経過していればステップ６０４へ進む。ステップ６０３で発光素子２０を消灯させステップ１０１へ戻る。ステップ６０４で３９発光素子点滅手段５により計測していた発光素子２０の可視で点灯が確認できる高速時間で点滅させた時の点灯時間および消灯時間をリセットしステップ６０１へ戻る。以下実施の形態４通りである。
【００５０】
以上のように本実施の形態の表示装置つき冷蔵庫は、３７発光素子点滅判定手段２および３９発光素子点滅手段５により、節電設定中に脱臭設定にすると発光素子２０を等間隔で点滅させ、節電設定中にその他の急凍設定にすると任意の間隔で点滅する構成にし、発光素子２０が点灯する周期でさらに可視で点灯が確認できる高速時間で点滅させる構成にしたので、利用者へ設定された急凍が通常状態とは異なった脱臭設定あるいはその他の急凍設定の運転状態であることを報知できるとともに、消費電力量を低減させることができる。
【産業上の利用可能性】
【００５１】
以上のように本発明にかかる表示装置付き冷蔵庫は、発光素子の点滅周期を変化させることにより複数の運転状態を一つの発光素子で利用者に報知できるとともに、発光素子の点灯させる場合においても消費電力を低減できることが可能なので、発光素子を有する表示装置付きの家電製品等の用途にも利用できる。
【図面の簡単な説明】
【００５２】
【図１】本発明による表示装置付き冷蔵庫の実施の形態１のブロック図
【図２】同実施の形態の表示装置付き冷蔵庫の動作を示す動作を示すフローチャート
【図３】本発明による表示装置付き冷蔵庫の実施の形態２のブロック図
【図４】同実施の形態の表示装置付き冷蔵庫の動作を示す動作を示すフローチャート
【図５】本発明による表示装置付き冷蔵庫の実施の形態３のブロック図
【図６】同実施の形態の表示装置付き冷蔵庫の動作を示す動作を示すフローチャート
【図７】本発明による表示装置付き冷蔵庫の実施の形態４のブロック図
【図８】同実施の形態の表示装置付き冷蔵庫の動作を示す動作を示すフローチャート
【図９】本発明による表示装置付き冷蔵庫の実施の形態５のブロック図
【図１０】同実施の形態の表示装置付き冷蔵庫の動作を示す動作を示すフローチャート
【図１１】従来の表示装置付き冷蔵庫のブロック図
【図１２】従来の表示装置付き冷蔵庫の表示装置ブロック図
【図１３】従来の表示装置付き冷蔵庫の圧縮機の運転を示すフローチャート
【図１４】従来の表示装置付き冷蔵庫の動作を示すフローチャート
【符号の説明】
【００５３】
１    冷蔵庫本体
８    送風機
９    冷却器
１４    圧縮機
１５    コントローラ
１６    表示装置
１７    節電スイッチ
１８    急凍スイッチ
１９    表示素子
２０    発光素子
２１    脱臭スイッチ
【図１】
2005090911.tif 000003
【図２】
2005090911.tif 000004
【図３】
2005090911.tif 000005
【図４】
2005090911.tif 000006
【図５】
2005090911.tif 000007
【図６】
2005090911.tif 000008
【図７】
2005090911.tif 000009
【図８】
2005090911.tif 000010
【図９】
2005090911.tif 000011
【図１０】
2005090911.tif 000012
【図１１】
2005090911.tif 000013
【図１２】
2005090911.tif 000014
【図１３】
2005090911.tif 000015
【図１４】
2005090911.tif 000016